(57)【要約】【課題】ユーザのヘアスタイルに影響するのを回避できるヘッドフォンを提供する。【解決手段】１対のイヤフォンモジュールと、１対の装着バンドとを備える環状ヘッドフォン。各前記イヤフォンモジュールは、ハウジングと、前記ハウジング内に位置する発音ユニットと、前記ハウジングに対向形成される１対の結合部とを備える。各前記装着バンドの両端に固定部材がそれぞれ形成される。各前記装着バンドの二つの前記固定部材は各前記イヤフォンモジュールの一つの前記結合部に着脱可能にそれぞれ接続される。環状構造により接続されるように１対の前記イヤフォンモジュールが１対の前記装着バンドの間に対向配置される。【選択図】図２
2019125919.tif 000002
【特許請求の範囲】
【請求項１】
ハウジングと、前記ハウジング内に位置する発音ユニットと、前記ハウジングに対向形成される１対の結合部とを備える１対のイヤフォンモジュールと、
両端に各前記イヤフォンモジュールの一つの前記結合部に着脱可能に接続される固定部材がそれぞれ形成される１対の装着バンドと、
を備え、
環状構造により接続されるように１対の前記イヤフォンモジュールが１対の前記装着バンドの間に対向配置されることを特徴とする、環状ヘッドフォン。
【請求項２】
前記結合部は前記ハウジングの表面の接線方向に沿って前記ハウジング内に窪み状に形成され、
前記装着バンドの前記固定部材はロッド状を呈しており、前記接線方向に沿って前記結合部内に係合され、
前記結合部の長さは前記ハウジングの直径よりも小さく、
前記装着バンドの前記固定部材が前記イヤフォンモジュールの前記結合部に結合される場合、前記固定部材の一端が前記ハウジング内に隠され、前記固定部材の他端が前記ハウジングに露出することを特徴とする、請求項１に記載の環状ヘッドフォン。
【請求項３】
前記装着バンドは、
前記装着バンドの長さを調整するための長さ調整部材と、
１対の前記イヤフォンモジュールのワイヤを固定接続するためのワイヤ固定部材と、
を備え、
前記ワイヤが前記装着バンドに着脱可能に組み付けられることを特徴とする、請求項２に記載の環状ヘッドフォン。
【請求項４】
前記結合部は、前記ハウジングの表面の接線方向に沿って前記ハウジング内に窪み状に形成され、
各前記結合部は同じ直線に位置する１対の結合溝を備え、
前記固定部材は、１対の固定プラグを備え、
前記装着バンドの末端は略Ｕ字型であり、
１対の前記固定プラグは同じ直線に位置すると共に、前記装着バンドの末端にそれぞれ位置することを特徴とする、請求項１に記載の環状ヘッドフォン。
【請求項５】
前記イヤフォンモジュールの前記結合部は前記ハウジングに突出すると共に貫通溝を形成し、
前記装着バンドの前記固定部材は前記貫通溝をストリップ状に貫通すると共に、前記装着バンドに接続されることを特徴とする、請求項１に記載の環状ヘッドフォン。
【発明の詳細な説明】
【技術分野】
【０００１】
本発明は、環状ヘッドフォンに関し、特に二つの耳覆いイヤフォンモジュールを二つの装着バンドに結合させることで環状構造となる、ユーザが頭部に着用して音声を聴くことのできる環状ヘッドフォンに関する。
【背景技術】
【０００２】
現在、通常の耳覆いイヤフォンは、一般的に逆Ｕ字型のヘッドバンドでユーザの頭部に置かれ、挟持により耳覆いイヤフォンモジュールをユーザの耳に当接させることとなる。このような耳覆いイヤフォンのヘッドバンドは、耳覆いイヤフォンモジュールに着脱不能に接続される。使用する場合、耳覆いイヤフォンはユーザのヘアスタイルに影響しやすく、ユーザの服装と組み合わせることができない。
【発明の概要】
【発明が解決しようとする課題】
【０００３】
本発明が解決しようとする課題は、ユーザのヘアスタイルに影響することを回避するように、取り囲む方式でユーザの頭部に着用される環状ヘッドフォンを提供することにある。
【０００４】
なお、本発明が解決しようとする課題は、さらに、ユーザの異なるヘアスタイル又は服装と組み合わせるように、二つの耳覆いイヤフォンモジュールの装着バンドに着脱可能に接続されることで環状ヘッドフォンの外観を変えることができる環状ヘッドフォンを提供することにある。
【課題を解決するための手段】
【０００５】
上記課題を解決するために、本発明の一態様によれば、１対のイヤフォンモジュールと、１対の装着バンドとを備える環状ヘッドフォンを提供する。各前記イヤフォンモジュールは、ハウジングと、前記ハウジング内に位置する発音ユニットと、前記ハウジングに対向形成される１対の結合部とを備える。各前記装着バンドの両端に固定部材がそれぞれ形成される。各前記装着バンドの二つの前記固定部材は一つの前記イヤフォンモジュールの一つの前記結合部に着脱可能にそれぞれ接続される。環状構造により接続されるように１対の前記イヤフォンモジュールが１対の前記装着バンドの間に対向配置される。
【発明の効果】
【０００６】
本発明の環状ヘッドフォンは、２本の装着バンドが二つのイヤフォンモジュールに接続されることで環状構造となる。ユーザは、ユーザのヘアスタイルに影響しないように例えばヘッドバンド又は頭巾のように装着することができる。なお、本発明の環状ヘッドフォンは、装着バンドを交換又は洗浄できるように装着バンドを容易に着脱することができる。また、本発明の環状ヘッドフォンは、ユーザの異なるヘアスタイル又は服装と組み合わせることができ、ひいては個人スタイルを作り出すことができる。
【図面の簡単な説明】
【０００７】
【図１】本発明の環状ヘッドフォンの分解斜視図である。
【図２】本発明の環状ヘッドフォンの組立斜視図である。
【図３】本発明の環状ヘッドフォンの別の角度の組立斜視図である。
【図４】本発明の環状ヘッドフォンの部分断面図である。
【図５】本発明の環状ヘッドフォンの使用状態の参考図である。
【図６】本発明の環状ヘッドフォンの第２の実施例の部分分解図である。
【図７】本発明の第２の実施例のイヤフォンモジュールの側面図である。
【図８】本発明の環状ヘッドフォンの第３の実施例の側面図である。
【図９】本発明の環状ヘッドフォンの第４の実施例の平面図である。
【発明を実施するための形態】
【０００８】
本発明の所定の目的を達成するために採られる技術、方法及び効果がより一層判るように、以下本発明に関する詳細な説明と添付図面を参照する。本発明の目的、特徴と利点は、これにより深くかつ具体的に理解され得るが、添付図面と添付ファイルは参考と説明のために提供するものに過ぎず、本発明を制限するためのものではない。
【０００９】
［第１の実施例］
図１乃至図３を参照する。本発明は１対のイヤフォンモジュール２０、２０'と、１対の装着バンド４０、４０とを備える環状ヘッドフォン１を提供する。１対のイヤフォンモジュール２０、２０'は、１対の装着バンド４０、４０の間に位置する。換言すれば、各装着バンド４０の一端が一方のイヤフォンモジュール２０の両側にそれぞれ接続され、各装着バンド４０他端が他方のイヤフォンモジュール２０'に接続されることにより、閉鎖した環状ヘッドフォン１が形成される。図１の右側のイヤフォンモジュール２０と左側のイヤフォンモジュール２０'との主な相違点は、右側のイヤフォンモジュール２０はマイク（図示せず）が接続され得るマイクソケット２６を備えることのみにあり、上記の相違点以外の構造は同様である。以下、右側のイヤフォンモジュール２０を典型例として説明する。
【００１０】
図４を参照する。各イヤフォンモジュール２０はハウジング２１と、ハウジング２１内に位置する発音ユニット２５と、１対の結合部２１１とを備える。１対の結合部２１１はハウジング２１の周囲に対向形成される。イヤフォンモジュール２０の一側にはイヤパッド２３が設けられる。ハウジング２１は浅い皿状の内側ハウジング部ｈ１と、円盤状の外側ハウジング部ｈ３と、内側ハウジング部ｈ１と外側ハウジング部ｈ３との間に位置する環状ハウジング部ｈ２とに分けられてもよい。
【００１１】
図１乃至図２を再び参照する。装着バンド４０は、ストリップ部４２と、二つの固定部材４３とを有する。装着バンド４０の両端に固定部材４３がそれぞれ形成される。二つの固定部材４３は、ストリップ部４２の両端に位置する。装着バンド４０は、伸縮性を有することが好ましく、布又は複合材料を用いてもよい。本実施例の固定部材４３の直径は、ストリップ部４２の厚さよりも大きい。各装着バンド４０の二つの固定部材４３は一つのイヤフォンモジュール２０の一つの結合部２１１に着脱可能にそれぞれ接続される。環状構造により接続されるように１対のイヤフォンモジュール２０が１対の装着バンド４０の間に対向配置される。
【００１２】
本実施例では、結合部２１１は、ハウジング２１の表面の接線方向に沿ってハウジング２１内に窪み状又は中抜き状に形成される。装着バンド４０の固定部材４３はロッド状を呈するようにしてもよい。他の態様として、装着バンド４０の固定部材４３は同じ直径であってもよく、略テーパロッド状であってもよい。固定部材４３は、接線方向に沿って結合部２１１内に係合される。
【００１３】
図１を参照する。より具体的には、各イヤフォンモジュール２０が有する二つの略平行である結合部２１１は、ハウジング２１の環状ハウジング部ｈ２に対向形成される。本実施例の結合部２１１は長細い孔であり、マッチ棒状を呈する。結合部２１１は、頭部２１１０と、長溝部２１１１とを有する。結合部２１１のハウジング２１の接線方向に沿う投射形状は固定部材４３の側面形状にほぼ等しいことを別の角度で説明する。頭部２１１０の直径は固定部材４３の直径にほぼ等しく、長溝部２１１１の幅は頭部２１１０の直径よりも小さく、ストリップ部４２の厚さは長溝部２１１１の幅よりも小さく又はそれにほぼ等しい。固定部材４３は頭部２１１０から結合部２１１に係合され、ストリップ部４２は長溝部２１１１に挿入される。
【００１４】
なお、結合部２１１の長さはハウジング２１の直径よりも小さい。装着バンド４０の固定部材４３がイヤフォンモジュール２０の結合部２１１に結合される場合、固定部材４３の一端がハウジング２１内に隠され、固定部材４３の他端がハウジング２１に露出する。
【００１５】
図５を参照する。図５は本発明の環状ヘッドフォンがユーザの頭部Ｈに装着される模式図である。本発明では、装着バンド４０に識別マーク等が設けられてもよい。また、装着バンド４０はイヤフォンモジュール２０、２０'に着脱可能に設けられる。装着バンド４０は交換又は洗浄することができる。これにより、ユーザの異なるヘアスタイル、異なる服と組み合わせるように、異なる装着バンド４０を交換することで個人スタイルを作り出すことができる。
【００１６】
［第２の実施例］
図６及び図７を参照する。図６及び図７は本発明の環状ヘッドフォン第２の実施例の部分模式図である。この実施例の環状ヘッドフォン１ａでは、装着バンド４０ａは装着バンド４０ａの長さを調整するための長さ調整部材４８を有する。本実施例の装着バンド４０ａは略日の字状を呈しているが、これに限定されるものではない。
【００１７】
本実施例の環状ヘッドフォン１ａの装着バンド４０ａのストリップ部４２ａは、１対のイヤフォンモジュール２０ａに接続されるワイヤＷを固定するためのワイヤ固定部材４２０を有する。ワイヤＷは装着バンド４０ａに着脱可能に組み付けられる。ワイヤ固定部材４２０はホールであってもよく、装着バンド４０ａの内部に形成されるチャネルであってもよい。また、ワイヤ固定部材４２０は例えばストリップ部４２ａの内部におけるチャネルであってもよい。
【００１８】
なお、本実施例中の結合部２１３はハウジング２１の表面の接線方向に沿ってハウジング２０内に窪み状に形成される。各結合部２１３は、１対の結合溝２１３０と、１対の結合溝２１３０を連通させる長溝部２１３１とを有する。１対の結合溝２１３０は同じ直線に位置する。固定部材４３ａは、１対のプラグ４３１を備える。装着バンド４０ａの末端は略Ｕ字型となる。１対の固定プラグ４３１は同じ直線に位置すると共に、前記装着バンド４０ａの末端にそれぞれ位置する。
【００１９】
［第３の実施例］
図８を参照する。この実施例の環状ヘッドフォン１ｂのイヤフォンモジュール２０ｂは突出状の結合部２１５を有する。結合部２１５はイヤフォンモジュール２０ｂのハウジング２１に突出し、略Ｕ字型となる。結合部２１５の両側には、結合溝２１５０がそれぞれ形成される。装着バンド４０ｂの固定部材４３ｂは、結合部２１５の両側を横切るプラグ４３１を有する。
【００２０】
［第４の実施例］
図９を参照する。この実施例の環状ヘッドフォン１ｃのイヤフォンモジュール２０、２０'の結合部２１７は、ハウジング２１に突出すると共に貫通溝２１７０を形成する。装着バンド４０ｃの固定部材４３ｃは貫通溝２１７０をストリップ状に貫通すると共に装着バンド４０ｃに接続される。装着バンド４０ｃの固定部材４３ｃの貫通溝２１７０を貫通する内側には接続部品が設けられる。この実施例の接続部品は、例えば、繰り返し貼付けが可能な面ファスナーであってもよい。固定部材４３ｃの一方の内側表面に環状構造が被覆されており、固定部材４３ｃの他方の内側表面にフック状構造が被覆されており、互いに掛合されるために用いられる。接続部品は、例えば、ボタン（図示せず）であってもよい。
【００２１】
本発明の特徴及び機能は耳覆いイヤフォンの組合せ方式を変えることができることにある。本発明の環状ヘッドフォンは、２本の装着バンドが二つのイヤフォンモジュールに接続されることにより、環状構造を形成する。ユーザは、ユーザのヘアスタイルに影響しないように例えばヘッドバンド又は頭巾のように装着することができる。なお、本発明の環状ヘッドフォンは装着バンドを交換又は洗浄するように、装着バンドを容易に着脱することができる。また、本発明の環状ヘッドフォンは、ユーザの異なるヘアスタイル又は服装と組み合わせることで個人のスタイルを作り出すことができる。
【００２２】
上述したことは本発明の好ましい実施可能な実施例に過ぎず、本発明の特許請求の範囲に基づき為された同等の改変と変形は、全て本発明の範囲に属するものである。
【符号の説明】
【００２３】
１、１ａ、１ｂ、１ｃ    環状ヘッドフォン
２０、２０'、２０ａ、２０ｂ    イヤフォンモジュール
２１    ハウジング
ｈ１    内側ハウジング部
ｈ２    環状ハウジング部
ｈ３    外側ハウジング部
２１１、２１３、２１５、２１７    結合部
２１１０    頭部
２１１１    長溝部
２１３０、２１５０    結合溝
２１３１    長溝部
２１７０    貫通溝
２３    イヤパッド
２５    発音ユニット
２６    マイクソケット
４０、４０ａ、４０ｂ、４０ｃ    装着バンド
４２、４２ａ    ストリップ部
４２０    ワイヤ固定部材
４３、４３ａ、４３ｂ、４３ｃ    固定部材
４３１    プラグ
４８    長さ調整部材
Ｈ    頭部
Ｗ    ワイヤ
【図１】
2019125919.tif 000003
【図２】
2019125919.tif 000004
【図３】
2019125919.tif 000005
【図４】
2019125919.tif 000006
【図５】
2019125919.tif 000007
【図６】
2019125919.tif 000008
【図７】
2019125919.tif 000009
【図８】
2019125919.tif 000010
【図９】
2019125919.tif 000011
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
ハウジングと、前記ハウジング内に位置する発音ユニットと、前記ハウジングに対向形成される１対の結合部とを備える１対のイヤフォンモジュールと、
両端に各前記イヤフォンモジュールの一つの前記結合部に着脱可能に接続される固定部材がそれぞれ形成される１対の装着バンドと、
を備え、
環状構造により接続されるように１対の前記イヤフォンモジュールが１対の前記装着バンドの間に対向配置されることを特徴とする、環状ヘッドフォン。
【請求項２】
前記結合部は前記ハウジングの表面の接線方向に沿って前記ハウジング内に窪み状に形成され、
前記装着バンドの前記固定部材はロッド状を呈しており、前記接線方向に沿って前記結合部内に係合され、
前記結合部の長さは前記ハウジングの直径よりも小さく、
前記装着バンドの前記固定部材が前記イヤフォンモジュールの前記結合部に結合される場合、前記固定部材の一端が前記ハウジング内に隠され、前記固定部材の他端が前記ハウジングに露出することを特徴とする、請求項１に記載の環状ヘッドフォン。
【請求項３】
前記装着バンドは、
前記装着バンドの長さを調整するための長さ調整部材と、
１対の前記イヤフォンモジュールのワイヤを固定接続するためのワイヤ固定部材と、
を備え、
前記ワイヤが前記装着バンドに着脱可能に組み付けられることを特徴とする、請求項２に記載の環状ヘッドフォン。
【請求項４】
前記結合部は、前記ハウジングの表面の接線方向に沿って前記ハウジング内に窪み状に形成され、
各前記結合部は同じ直線に位置する１対の結合溝を備え、
前記固定部材は、１対の固定プラグを備え、
前記装着バンドの末端は略Ｕ字型であり、
１対の前記固定プラグは同じ直線に位置すると共に、前記装着バンドの末端にそれぞれ位置することを特徴とする、請求項１に記載の環状ヘッドフォン。
【請求項５】
前記イヤフォンモジュールの前記結合部は前記ハウジングから突出するように形成されると共に、前記結合部には貫通溝が形成され、
前記装着バンドの前記固定部材は前記貫通溝をストリップ状に貫通し、前記ハウジングに接続されることを特徴とする、請求項１に記載の環状ヘッドフォン。